(57)【要約】【課題】  記録媒体の取り外しが容易な電子機器を小型化しつつ安価に提供する。【解決手段】  記録媒体(９)の装着および取り外しが可能な媒体装着部材(１５)と、機器本体に対して開閉可能な部材であって、その内面側にて前記媒体装着部材を保持し、かつ前記媒体装着部材に装着された記録媒体の外面を覆うカバー部材(１０)とを有し、前記カバー部材における前記記録媒体の取り外し方向の端部に、該カバー部材の開状態において前記記録媒体の前記外面のうち指でつまむことが可能な部分を露出させるための凹形状部(１０ｂ)が形成されていることを特徴とする電子機器。【選択図】  図２
2005175855.tif 000002
【特許請求の範囲】
【請求項１】
記録媒体の装着および取り外しが可能な媒体装着部材と、
機器本体に対して開閉可能な部材であって、その内面側にて前記媒体装着部材を保持し、かつ前記媒体装着部材に装着された記録媒体の外面を覆うカバー部材とを有し、
前記カバー部材における前記記録媒体の取り外し方向の端部に、該カバー部材の開状態において前記記録媒体の前記外面のうち指でつまむことが可能な部分を露出させるための凹形状部が形成されていることを特徴とする電子機器。
【請求項２】
前記カバー部材を閉状態に保持するためのロック機構を有し、
該ロック機構による保持を解除するための操作部材が、前記カバー部材の閉状態にて前記凹形状部の内側領域を覆うことを特徴とする請求項１に記載の電子機器。
【請求項３】
請求項１又は２に記載の電子機器であって、
被写体像を光電変換する撮像素子を用いて得られた画像データを前記記録媒体に記録することをと特徴とする撮像装置。
【発明の詳細な説明】
【技術分野】
【０００１】
本発明は電子機器に関し、特に、カード型記録媒体に撮影画像等を記録、再生するカード型記録装置を備えた撮像装置に関するものである。
【背景技術】
【０００２】
近年、ビデオカメラ小型化の要請を受けて、ビデオカメラ本体の大きさは減少する傾向にある。また、パーソナルコンピュータの普及も目覚しく、ビデオカメラで撮影された映像をパーソナルコンピュータに取り込むための機能の要求も増大している。
【０００３】
そこで、ビデオテープのみに映像を記録するのではなく、カード型記録媒体が着脱可能なカード型記録装置を備え、このカード型記録媒体を介してパーソナルコンピュータに映像を取り込めるビデオカメラが商品化されている。
【０００４】
この種のビデオカメラは、カード型記録装置の配置スペースをビデオカメラ本体が大型化しないように設けるとともに、カード型記録媒体の着脱操作が容易なようにレイアウトしなければならない。そこで、カード型記録装置は、ビデオカメラ本体の外装部材の一面にカード型記録媒体を脱着するための開放部が露出するようレイアウトされる。
【０００５】
しかしながら、開放部が露出したままではカード型記録装置への異物の混入、カード型記録媒体が誤って抜けてしまうなどの問題がある。また、カード型記録媒体を脱着するための開放部が露出するようレイアウトするためには、ビデオカメラ本体の端部にカード型記録装置をレイアウトしなければならないという制約をうける。そこで、カード型記録媒体が装着される装着部を覆う蓋部を開閉させる機構が設けられている。
【０００６】
従来のカード型記録媒体が着脱可能なカード型記録装置を備えたビデオカメラについて図５、６を用いて説明する。
【０００７】
ここで、図５はカード型記録媒体の装填部を覆う蓋部が閉状態にあるときのビデオカメラの前方斜視図であり、図６は該蓋部が開状態にあるときのビデオカメラの前方斜視図である。
【０００８】
１は撮像レンズ、２は録音マイクで、撮像レンズ１の後方にビデオカメラ装置本体３がレイアウトされている。
【０００９】
４はビデオカメラ装置本体３に電源を供給するためのバッテリーパックである。５は液晶表示装置であり、この液晶表示装置５は、ビデオカメラ装置本体３に設けられた回転軸に取り付けられることにより、光軸方向を含む面内にて回転可能な状態となっている。
【００１０】
これにより、未使用時においてはビデオカメラ装置本体３に折り畳んで収納でき、使用時においては、ビデオカメラ装置本体３の上方のモニター位置まで回転させることができる。
【００１１】
６はカード型記録媒体が装着される装着部を覆う蓋部であり、ビデオカメラ装置本体３の片側の側面に設けられている。そして、蓋部６は不図示のポップアップ機構によってビデオカメラ装置本体３に対して水平方向に回転可能に連結されている。
【００１２】
また、７はポップアップツマミで、不図示のロック機構に連動し蓋部６の回転を規制している。すなわち、閉状態にある蓋部６は、ポップアップ機構によって開方向へ付勢されることによりロック機構に押圧された状態となっている。このような状態において、ポップアップツマミ７をスライドさせてロック機構を解除すると、ホップアップ機構の付勢力により蓋部６は回転動作を開始し、開位置に移動する。
【００１３】
そして、蓋部６に設けられたカード型記録媒体を脱着するための開放部６ａがビデオカメラ装置本体３から露出する。この露出した状態において、イジェクトボタン８をユーザーが操作すると、不図示のイジェクト機構によって取り出し方向に付勢されたカード型記録媒体９の一部が蓋部６から突出する。ユーザーは、この突出した部分を摘んで取り出し方向にカード型記録媒体９をスライドさせることにより、取り出し作業が終了する。
【特許文献１】特開２０００−１８８７０９号公報(段落番号００１６、００１７、図１〜図５)
【発明の開示】
【発明が解決しようとする課題】
【００１４】
しかしながら、上記の従来例では、ユーザーがカード型記録媒体９を取り出そうとする場合、まずポップアップツマミ７をスライドさせ、蓋部６を開いた状態で、イジェクトボタン８を操作してカード型記録媒体９の一部を蓋部６から突出させる。そして、カード型記録媒体９の突出部分を摘んで、取り外し方向にスライドさせることにより、取り外し作業が終了する。これらの作業は、煩雑で操作性を悪くしていた。
【００１５】
また、場合によってはイジェクトボタン８を操作すると、カード型記録媒体９が蓋部６から飛び出してしまう可能性がある。
【００１６】
さらに、蓋部６にはイジェクト機構を設けるためのスペースを確保しなければならず、ビデオカメラ本体の小型化に反するとともに、装置が複雑になり高価なものになってしまう。
【００１７】
本発明ではこのような従来の欠点を解消するためになされたもので、ビデオカメラ装置の操作性に優れ、安価で、小型なビデオカメラを提供することを目的とする。
【課題を解決するための手段】
【００１８】
上記課題を解決するために、本願発明の電子機器の第１の構成は、記録媒体の装着および取り外しが可能な媒体装着部材(例えばコネクタ)と、機器本体に対して開閉可能な部材であって、その内面側にて媒体装着部材を保持し、かつ媒体装着部材に装着された記録媒体の外面を覆うカバー部材とを有し、カバー部材における記録媒体の取り外し方向の端部に、カバー部材の開状態において記録媒体の外面のうち指でつまむことが可能な部分を露出させるための凹形状部が形成されていることを特徴とする。
【００１９】
ここで、カバー部材を閉状態に保持するためのロック機構を設け、ロック機構による保持を解除するための操作部材に、カバー部材の閉状態にて凹形状部の内側領域を覆うようにさせるとよい。
【００２０】
上述の電子機器であって、被写体像を光電変換する撮像素子を用いて得られた画像データを記録媒体に記録することをと特徴とする撮像装置。
【発明の効果】
【００２１】
本願発明の電子機器の第１の構成によれば、カバー部材が開いた状態でユーザーが記録媒体の露出部分をつまんで記録媒体を取り外すことができるため、例えばイジェクトボタンを押さなくても良い分だけ、取り外し作業が簡単になる。
【００２２】
また、このイジェクト機構などが不要となれば、安価で小型化が可能な光学機器(例えば、ビデオカメラ、デジタルスチルカメラ)を提供することができる。
【００２３】
また、ロック機構による保持を解除するための操作部材に、カバー部材の閉状態にて凹形状部の内側領域を覆うようにさせることにより、凹形状部に記録媒体の取り外し及びカバー部材のロックという２つの役割を持たせているため、記録媒体の装着及び取り外しに必要となる機構を簡素化することができる。
【００２４】
また、閉状態において、凹形状部の内側領域を操作部材で覆っているため、記録媒体が外部に露出するのを防止して見栄えをよくするとともに、媒体装着部材に異物が進入するのを阻止することができる。
【発明を実施するための最良の形態】
【００２５】
本実施例のビデオカメラについて、図１、図２(A)を用いて説明する。図１は、蓋部が閉じ状態にあるビデオカメラの前方斜視図であり、図２(A)は蓋部が開状態にあるビデオカメラの前方斜視図である。
【００２６】
これらの図において、撮像レンズ１、録音マイク２、バッテリーパック４及び液晶表示装置５の各構成は、図６のビデオカメラと同一であるため説明を省略する。
【００２７】
１０は記録媒体が装着される装着部を覆う蓋部材であり、この蓋部材１０は、カメラ本体３及びカメラ本体３に設けられたポップアップ機構１２により回転可能に支持されている。１１は蓋部材１０の開閉動作を規制するホップアップツマミであり、１３は蓋部材１０をカメラ本体３内に収納するための収納部である。
【００２８】
次に図３を用いて蓋部材１０の開閉機構について詳細に説明する。ここで図３は蓋部材の開閉機構の分解斜視図である。
【００２９】
記録媒体９が装着される装着部を覆う蓋部材１０は略箱形状をしており、両側壁部に一対のスリット穴部１０ｃ及び軸穴部１０ｄが設けられている。そして蓋部材１０の内部にカードコネクタ１５(媒体装着部材)が実装されたプリント基板１４が収容されている。
【００３０】
さらに、プリント基板１４にはフレキシブケーブル１６が接続されており、不図示の電気信号処理回路に配線される。１９は裏蓋でプリント基板１４を挟み込んで蓋部材１０に係止される。
【００３１】
軸部１７は蓋部材１０よりも十分に長く、蓋部材１０の側壁に設けられた一方の軸穴部１０ｄを貫通して、ポップアップバネ１８を通り、他方の軸穴部１０ｄを貫通している。そして、保持部材２１が不図示のビスにより本体カバー２０にビス止めされることにより、本体カバー２０に設けられた軸受け部２０ａと保持部材２１に設けられたフランジ部２１ａに挟まれ軸部１７は固定される。
【００３２】
また、保持部材２１は一対のアーム２２の一端とロックフレーム２３が保持部材２１に設けられた軸穴部２１ｂに回転自在にカシメられている。アーム２２の他端は蓋部材１０に設けられたスリット穴部１０ｃにスライド可能に係合している。
【００３３】
さらに、ロックフレーム２３には、突起部２３ａ、ポップアップバネ１８の片方の腕が引っ掛かるバネ受け部２３ｂ及び回転防止曲げ部２３ｃが形成されている。上述の構成によれば、蓋部材１０は絶えず開方向にポップアップバネ１８のバネ力を受けることになる。
【００３４】
ポップアップツマミ１１には、ロックバネ２４のガイド棒付き受け部１１ａと先端部がテーパー状のロック爪１１ｂが形成されており、ロック爪１１ｂは蓋部材１０と裏蓋１９との間に挿入される。
【００３５】
そして、ポップアップツマミ１１は、補強部材２５と本体カバー２０により、矢印Ａ方向にロックバネ２４のバネ勢力を受けながらスライド移動可能に保持されている。また、ポップアップツマミ１１には、ロックフレーム２３に設けられた突起部２３ａと係合する突起部１１ｃが設けられている。
【００３６】
以上のように構成された開閉機構について、その動作を説明する。図４は開閉機構の断面図であり、（Ａ）は収納状態を示した図であり、（Ｂ）はポップアップツマミ１１をスライドさせた状態を示した図であり、（Ｃ）はポップアップした状態を示した図である。
【００３７】
収納状態ではポップアップツマミ１１が、矢印Ａ方向にロックバネ２４からバネ力を受けるため、ポップアップツマミ１１に設けられたロック爪１１ｂは裏蓋１９を係止するため、絶えず開方向にポップアップバネ１８のバネ力を受けている蓋部材１０は回転を防止されている。
【００３８】
また、ロックフレーム２３に設けられた回転防止曲げ部２３ｃが裏蓋１９に当接しているため、ロックフレーム２３は回転を阻止されている。そして、ポップアップツマミ１１を矢印Ｂ方向にロックバネ２４をチャージしながらスライドさせると、ロック爪１１ｂと裏蓋１９の係止は解除され、蓋部材１０はポップアップバネ１８のバネ力を受けて軸部１７を回転軸として回転動作を開始する。
【００３９】
ポップアップ状態では、ロックフレーム２３に設けられた回転防止曲げ部２３ｃが裏蓋１９から離脱するため、ロックフレーム２３はポップアップバネ１８からバネ力を受けて軸穴部２１ｂ周りの回転動作を開始する。
【００４０】
すると、ロックフレーム２３に設けられた突起部２３ａとポップアップツマミ１１に設けられた突起部１１ｃが係合しポップアップツマミ１１は、ロックバネ２４のバネ力に逆らいながらスライド後の位置で係止される。
【００４１】
ここで、図２(B)を参照して、ポップアップ状態にあるときの、蓋部材１０と記録媒体９の関係について説明する。図２(B)は、図２(A)の破線部Xで囲まれた領域を詳細に示した図である。
【００４２】
蓋部材１０の記録媒体９の取り外し方向端部には凹形状部１０ｂが形成されている。ここで、凹形状部１０ｂの形状は、例えば矩形以外の半円形でもよく、指でつまむことが可能な形状であればどのようなものであってもよい。
【００４３】
凹形状部１０ｂにより、記録媒体９の外面のうち斜線部で示した領域Yを外部に露出させ、領域Yに指を侵入させることができるようにしている。
【００４４】
したがって、記録媒体９を取り外すときは、領域Yに指を侵入させて記録媒体９をつかみ、取り外し方向に記録媒体９を移動させればよいので、記録媒体の取り外しが容易になる。
【００４５】
また、収納する場合は、蓋部材１０をポップアップバネ１８をチャージする方向に回転させる。この際、裏蓋１９にロックフレーム２３に設けられた回転防止曲げ部２３ｃが押されロックフレーム２３は回転動作を開始する。
【００４６】
すると、ロックフレーム２３に設けられた突起部２３ａとポップアップツマミ１１に設けられた突起部１１ｃの係合が解除され、ポップアップツマミ１１はロックバネ２４のバネ力により図３（Ａ）の状態にもどる。これによりポップアップツマミ１１が記録媒体を把握するための凹形状部１０ｂに嵌合するような位置で保持され、記録装置に異物などが混入するのを防ぐことができ、さらに見栄えも良いものとなる。
【００４７】
本発明は、ビデオカメラに限らず、例えばデジタルカメラなどの記録媒体の装着が可能な様々な電子機器に用いることができる。
【図面の簡単な説明】
【００４８】
【図１】閉状態にあるビデオカメラの前方斜視図
【図２】(A)  開状態にあるビデオカメラの前方斜視図              (B)  領域Xの詳細な図
【図３】ビデオカメラの分解斜視図
【図４】開閉機構の断面図
【図５】閉状態にあるビデオカメラの前方斜視図(従来例)
【図６】開状態にあるビデオカメラの前方斜視図(従来例)
【符号の説明】
【００４９】
１  撮像レンズ
２  録音マイク
３  ビデオカメラ装置本体
４  バッテリーパック
５  液晶表示装置
６  蓋部
６ａ  開放部
７  ポップアップツマミ
８  イジェクトボタン
９  記録媒体
１０  蓋部材
１０ａ  開放部
１０ｂ  凹形状部
１１  ポップアップツマミ
１１ａ  ガイド棒付き受け部
１１ｂ  ロック爪
１１ｃ  突起部
１２  ポップアップ機構
１３  凹部
１４  プリント基板
１５  カードコネクタ
１６  フレキシブケーブル
１７  軸
１８  ポップアップバネ
１９  裏蓋
２０  本体カバー
２０ａ  軸受け部
２１  保持部材
２１ａ  フランジ部
２１ｂ  軸穴部
２２  アーム
２３  ロックフレーム
２３ａ  突起部
２３ｂ  バネ受け部
２３ｃ  回転防止曲げ部
２４  ロックバネ
２５  補強部材
【図１】
2005175855.tif 000003
【図２】
2005175855.tif 000004
【図３】
2005175855.tif 000005
【図４】
2005175855.tif 000006
【図５】
2005175855.tif 000007
【図６】
2005175855.tif 000008